(57)【要約】      （修正有）【課題】分岐時間の情報を用いてより効果的に省エネ化を図る。【解決手段】空調システム３０において、通信ネットワーク３２を介して空気調和機１と接続される通信端末装置５０は、表示部５３、音声出力部５５、発振部５６等を含む報知部を制御して空気調和機１の運転を一旦停止した後に再開して停止前の室温と同じにするための消費電力と運転を継続した場合の消費電力とが同じになる停止時間に相当する分岐時間を、予め設定されたタイミングで能動的に報知する報知制御部６２と、空気調和機１の運転を停止させる指示を受け付ける空調機操作部６１を備える。【選択図】図２
2020036296.tif 000002
【特許請求の範囲】
【請求項１】
ユーザに情報を報知する報知部と、
ユーザからの指示入力を受け付ける指示入力部と、
通信ネットワークを介して外部装置と通信を行う通信部と、
前記報知部を制御して空気調和機の運転を一旦停止した後に再開して停止前の室温と同じにするための消費電力と運転を継続した場合の消費電力とが同じになる停止時間に相当する分岐時間を、予め設定されたタイミングで能動的に報知する報知制御部と、
前記指示入力部を制御して前記空気調和機の運転を停止させる指示を受け付ける入力制御部と、
前記入力制御部にて前記空気調和機の運転を停止させる指示を受け付けると前記通信部を制御して該指示内容を前記空気調和機もしくは前記空気調和機と接続されている所定のサーバに送信する通信制御部と、
を備えることを特徴とする通信端末装置。
【請求項２】
前記タイミングは、当該通信端末装置が前記空気調和機の設置位置から設定距離以上離れた時であり、
当該通信端末装置の位置情報を取得する位置情報取得部を備え、
前記報知制御部は、前記位置情報取得部にて取得された位置情報より、当該通信端末装置が前記空気調和機の設置位置から設定距離以上離れたことを検出すると分岐時間を報知することを特徴とする請求項１に記載の通信端末装置。
【請求項３】
前記タイミングは、前記空気調和機の運転が停止される予定の時刻の直前であり、
前記報知制御部は、前記空気調和機の運転データに基づいて推定される前記空気調和機の運転が停止される予定の時刻の直前になると分岐時間を報知することを特徴とする請求項１又は２に記載の通信端末装置。
【請求項４】
前記報知制御部は、前記報知部が備える表示部に通知機能を使って分岐時間を表示することを特徴とする請求項１から３の何れか１項に記載の通信端末装置。
【請求項５】
前記報知制御部は、前記報知部が備える音声出力部又は発振部又はその両方を用いて、着信音又は振動又はその両方と共に、前記分岐時間を表示することを特徴とする請求項４に記載の通信端末装置。
【請求項６】
前記分岐時間を算出して前記報知制御部に出力する分岐時間算出部を備えることを特徴とする請求項１から５の何れか１項に記載の通信端末装置。
【請求項７】
前記空気調和機は、設定温度を徐々に緩める省エネ運転モードを有し、
前記分岐時間算出部は、前記空気調和機が、前記省エネ運転モードにて運転を継続している場合、運転を継続した場合の消費電力として、段階的に変更される各設定温度での運転時間による電力量に、省エネ運転モードから通常運転モードへの復帰時に、安定状態から室温を緩める前の設定温度と同じにするための電力量を加算した値を用いることを特徴とする請求項６に記載の通信端末装置。
【請求項８】
請求項１に記載の通信端末装置としてコンピュータを機能させるためのプログラムであって、前記報知制御部、前記入力制御部、および前記通信制御部としてコンピュータを機能させるためのプログラム。
【請求項９】
請求項８に記載のプログラムを記録したコンピュータ読み取り可能な記録媒体。
【請求項１０】
空気調和機と、
前記空気調和機と通信ネットワークにて接続されたサーバと、
前記サーバと通信ネットワークにて接続され前記サーバを介して前記前記空気調和機を操作する通信端末装置と、
前記空気調和機、前記サーバ又は前記通信端末装置に設けられる、
前記空気調和機の運転を一旦停止した後に再開して停止前の室温と同じにするための消費電力と運転を継続した場合の消費電力とが同じになる停止時間に相当する分岐時間を算出する分岐時間算出部と、
前記空気調和機又は前記通信端末装置に設けられる、
報知部を制御して前記分岐時間を、予め設定されたタイミングで能動的に報知する報知制御部、
指示入力部を制御して前記空気調和機の運転を停止させる指示を受け付ける入力制御部、
および前記入力制御部にて前記空気調和機の運転を停止させる指示を受け付けると通信部を制御して該指示内容を前記サーバに送信する通信制御部と、
を備えることを特徴とする空調システム。
【発明の詳細な説明】
【技術分野】
【０００１】
本発明は、空気調和機を、通信ネットワークを介して操作する通信端末装置、および空調システムに関する。
【背景技術】
【０００２】
近年、スマートフォン等の通信端末装置に専用アプリケーションをダウンロードすることで、通信端末装置から空気調和機の運転の開始や停止などを操作する技術がある（例えば、特許文献１）。
【０００３】
また、空気調和機を含む家庭用電子機器（家電）においては、消費電力を低減（省エネルギー）する対策が種々講じられている。空気調和機の消費電力を低減する技術として、運転を一旦停止した後再開させて設定温度に達するまでに必要な電力量と、運転を継続した場合の電力量とが同じになる停止時間に相当する分岐時間（分岐点時間）を算出して、ユーザに報知する技術がある（例えば、特許文献２，３）。分岐時間が報知されることで、ユーザは、部屋を不在にする予定時間が分岐時間よりも短ければ継続を選択し、長ければ停止を選択することで、消費電力を少なく抑えることができる。
【先行技術文献】
【特許文献】
【０００４】
【特許文献１】特開２００２−３４５０５１号公報
【特許文献２】特許第６２６８４７７号明細書
【特許文献３】ＷＯ２０１４/１２８９０１号公報
【発明の概要】
【発明が解決しようとする課題】
【０００５】
特許文献２、３においては、分岐時間を有効に利用するための報知のタイミングについては何ら検討されていない。そのため、特許文献２，３の構成では、分岐時間を報知する機能が有効に利用されているとまでは言えず、省エネを図る機会を逸するといった問題がある。
【０００６】
例えば、特許文献３には、分岐時間をリモコンや通信端末装置に表示したり、音声出力したりして報知するが、報知のタイミングとしては、常に表示する、あるいはユーザから要求があった場合にのみ表示することが記載されている。
【０００７】
しかしながら、常に表示する構成では、分岐時間に対する関心が薄れてしまい、分岐時間の情報を利用して省エネを図る機会が失われる恐れがある。また、ユーザから要求があった場合にのみ表示する構成では、ユーザが要求しない限り表示されないため、ユーザが分岐時間を報知する機能の存在にさえ気が付かないことも起こり得る。
【０００８】
本発明の一態様は、分岐時間の情報を用いてより効果的に省エネ化を図ることができる通信端末装置および空調システムを実現することを目的とする。
【課題を解決するための手段】
【０００９】
上記の課題を解決するために、本発明の一態様に係る通信端末装置は、ユーザに情報を報知する報知部と、ユーザからの指示入力を受け付ける指示入力部と、通信ネットワークを介して外部装置と通信を行う通信部と、前記報知部を制御して空気調和機の運転を一旦停止した後に再開して停止前の室温と同じにするための消費電力と運転を継続した場合の消費電力とが同じになる停止時間に相当する分岐時間を、予め設定されたタイミングで能動的に報知する報知制御部と、前記指示入力部を制御して前記空気調和機の運転を停止させる指示を受け付ける入力制御部と、前記入力制御部にて前記空気調和機の運転を停止させる指示を受け付けると前記通信部を制御して該指示内容を前記空気調和機もしくは前記空気調和機と接続されている所定のサーバに送信する通信制御部と、を備えることを特徴とする。
【００１０】
上記の課題を解決するために、本発明の一態様に係るプログラムは、本発明の一態様に係る通信端末装置としてコンピュータを機能させるためのプログラムであって、前記報知制御部、前記入力制御部、および前記通信制御部としてコンピュータを機能させるためのプログラムである。
【００１１】
上記の課題を解決するために、本発明の一態様に係る空調システムは、空気調和機と、前記空気調和機と通信ネットワークにて接続されたサーバと、前記サーバと通信ネットワークにて接続され前記サーバを介して前記前記空気調和機を操作する通信端末装置と、前記空気調和機、前記サーバ又は前記通信端末装置に備えられる、前記空気調和機の運転を一旦停止した後に再開して停止前の室温と同じにするための消費電力と運転を継続した場合の消費電力とが同じになる停止時間に相当する分岐時間を算出する分岐時間算出部と、前記空気調和機又は前記通信端末装置に備えられる、報知部を制御して前記分岐時間を、予め設定されたタイミングで能動的に報知する報知制御部、指示入力部を制御して前記空気調和機の運転を停止させる指示を受け付ける入力制御部、および前記入力制御部にて前記空気調和機の運転を停止させる指示を受け付けると通信部を制御して該指示内容を前記サーバに送信する通信制御部と、を備えることを特徴とする。
【発明の効果】
【００１２】
本発明の一態様によれば、分岐時間の情報を用いてより効果的に省エネ化を図ることができる。
【図面の簡単な説明】
【００１３】
【図１】第１の実施の形態に係る空調システムの概略構成を示す図である。
【図２】図１の空調システムの構成を示すブロック図である。
【図３】運転を一旦停止した後再開する場合の消費電力と、運転を継続した場合の消費電力とが同じになる分岐時間を説明する模式図である。
【図４】図１の空調システムにおける分岐時間が報知されるタイミングを説明する図である。
【図５】（ａ）（ｂ）は共に、通信端末装置の表示部に表示された、分岐時間を報知する画面の一例を示す図である。
【図６】第２の実施の形態に係る空調システムの構成を示すブロック図である。
【図７】空気調和機の運転パターンの一例を示す図である。
【図８】空調システムにおける分岐時間算出部が学習した、外気温と室温との差毎の省エネ運転時の１時間当たりの空気調和機の電力量（Ｗｈ）のテーブルの一例を示す図である。
【図９】第１、第２の実施の形態の空調システムにおける分岐時間算出部が作成した、外気温と室温との差毎、かつ、室温と設定温度との差毎の、省エネ運転を解除時に室温を元の設定温度に到達させるために必要な空気調和機の電力量（Ｗｈ）のテーブルの一例を示す図である。
【図１０】第１、第２の実施の形態の空調システムにおける分岐時間算出部が作成した、外気温と室温との差毎、かつ、室温と設定温度との差毎の、運転を一旦停止後再開する際に室温を設定温度に到達させるために必要な空気調和機１の電力量（Ｗｈ）のテーブルの一例を示す図である。
【図１１】第１、第２の実施の形態の空調システムにおける分岐時間算出部が作成した、外気温と室温との差毎、かつ、時間毎の、空気調和機１が設置されている部屋の運転を停止した際の室温変化幅のテーブルの一例を示す図である。
【図１２】第１、第２の実施の形態の空調システムにおける分岐時間算出部が作成した、省エネ運転中からその解除までを含めたある温度での時間毎の推定電力量（消費電力Ｂ）テーブルの一例を示す図である。
【図１３】第１、第２の実施の形態の空調システムにおける分岐時間算出部が作成した、運転を一旦停止した後再開する場合の時間毎の推定電力量（消費電力Ａ）テーブルの一例を示す図である。
【図１４】（ａ）（ｂ）は共に、第１、第２の実施の形態の空調システムにおける分岐時間算出部が、部屋性能の判定方法を説明する図である。
【図１５】（ａ）（ｂ）は共に、第１、第２の実施の形態の空調システムにおける分岐時間算出部が、部屋性能の判定方法を説明する図である。
【図１６】（ａ）（ｂ）は共に、第１、第２の実施の形態の空調システムにおける分岐時間算出部が、部屋性能の判定方法を説明する図である。
【発明を実施するための形態】
【００１４】
〔第１の実施の形態〕
以下、本発明の一実施の形態について、詳細に説明する。図１は、本実施の形態に係る空調システム３０の概略構成を示す図である。図１に示すように、空調システム３０は、ユーザ宅３１に設置された空気調和機１とサーバ４０と空気調和機１のユーザの通信端末装置５０とを備え、それぞれが通信ネットワーク３２を介して接続されている。なお、図１では、空調システム３０におけるあるユーザ宅３１に関する部分を示しており、実際には、複数のユーザ宅の複数の空気調和機がサーバ４０に接続されている。
【００１５】
空気調和機１は、通信ネットワーク３２に接続してサーバ４０と通信する。ユーザ宅３１には、通信ネットワーク３２の一部をなす無線ＬＡＮ（Wireless Local Area Network）が整備されている。無線ＬＡＮの中継局は、インターネットを含む通信ネットワーク３２と接続されている。中継局は、例えばＷｉＦｉ（登録商標）ルータやＷｉＦｉ（登録商標）アクセスポイントなどの通信機器である。なお、ここでは、通信ネットワーク３２としてインターネットを含む構成を例示しているが、電話回線網、移動体通信網、ＣＡＴＶ（CAble TeleVision）通信網、衛星通信網などを利用することもできる。通信端末装置５０と通信ネットワーク３２におけるインターネットとの間は、４Ｇ（4th Generation）、ＬＴＥ（Long Term Evolution）、宅内あるいは公衆のＷｉＦｉ（登録商標）アクセスポイントなどを利用して接続される。
【００１６】
サーバ４０は、空気調和機１と通信端末装置５０との組み合わせを登録している。サーバ４０は、組み合わせが登録された通信端末装置５０による空気調和機１の操作（遠隔操作）を可能にする。サーバ４０には、空気調和機１より空気調和機１の運転の内容を示す運転データ、室温、外気温などを受信する。また、サーバ４０は通信ネットワーク３２を介して図示しない外部サーバとも接続されており、外気温を天気予報システムより取得することもできる。
【００１７】
通信端末装置５０は、空気調和機１のユーザのスマートフォンやタブレット等の通信端末装置であり、空気調和機１を操作するためのアプリケーションがダウンロードされている。なお、通信端末装置５０と空気調和機１とは、ユーザ宅３１内などの近距離の場合、サーバ４０を介することなくBluetooth（登録商標）等で接続されていてもよい。
【００１８】
空気調和機１は、空調運転（空気調和運転）を行う装置であり、サーバ４０を介して通信端末装置５０からの指示を受け付けると、該指示に基づいて、冷房、暖房、送風、除湿、空気清浄等の空調運転を実行する。空気調和機１は、上述したように、サーバ４０に運転データ、室温、外気温などを送信する。運転データには、設定温度、運転種別（冷房、暖房、送風、除湿、空気清浄等）、運転モード（自動モード、風力設定モード、省エネ運転モード等）、電源オン（運転開始）、電源オフ（停止）等の情報が含まれている。
【００１９】
図２は、空調システム３０の構成を示すブロック図である。図２に示すように、空気調和機１は、空調機制御部１０、通信部２１、記憶部２２、空調運転部２３、室外温度センサ２４、室内温度センサ２５、リモートコントローラ（以下、単にモコンと称する）２６等を備えている。
【００２０】
通信部２１は、空気調和機１と外部装置との通信を可能にする。記憶部２２は、空気調和機１の動作に必要な各種の情報・プログラムを記憶している。空調運転部２３は、冷房、暖房、送風、除湿、脱臭および換気等の各機能を有し、空調機制御部１０の空調運転制御部１１の制御により、適宜それら動作を行う。
【００２１】
室外温度センサ２４は外気の温度である外気温を検出し、室内温度センサ２５は空調空間である室内（部屋）の温度である室温を検出する。図示してはいないが、空気調和機１は、室内に設置されて調和空気を吹き出す室内機と、屋外に設置されて外気との熱交換を行う室外機とを備える。通常、室内温度センサ２５は室内機に搭載され、室外温度センサ２４は室外機に搭載されている。
【００２２】
リモコン２６は、空気調和機１に対する運転開始（運転ＯＮ）、運転停止（運転ＯＦＦ）、運転種別（冷房、暖房、除湿、送風、空気清浄等）、運転モード（自動モード、風力設定モード、省エネ運転モード等）、設定温度の変更等のユーザ指示を受け付ける。受け付けられたユーザ指示は、リモコン２６から空気調和機１に送信される。
【００２３】
空調機制御部１０は、空気調和機１の各部の動作を制御する。空調機制御部１０は、例えば、ＣＰＵや専用プロセッサなどの演算処理部などにより構成されるコンピュータ装置からなり記憶部２２に記憶されている情報・プログラムに従い、空気調和機１の各部の動作を制御する。
【００２４】
空調機制御部１０には、空調運転制御部１１が構築される。空調運転制御部１１は、空調運転部２３を制御して、冷房、暖房、送風、除湿、空気清浄等の空調運転を実行する。空調運転制御部１１は、冷房運転および暖房運転時、室温が設定温度となるように空調運転部２３を制御する。自動モードおよび風力設定モードでは、設定温度は一定に維持される。一方、省エネ運転モードでは、設定温度が徐々に緩められ、外気温に近づく方向に変更される。以降、自動モードおよび風力設定モードのように設定温度が一定に維持されるモードを、通常運転モード（通常運転）と称する。
【００２５】
空調運転制御部１１は、冷房運転および暖房運転において、通常は通常運転モードで運転し、省エネ運転モードが設定されると省エネ運転モード（省エネ運転）に移行する。省エネ運転モードの設定は、リモコン２６の他、空気調和機１の本体（通常は室内機）の入力受付部、空気調和機１に紐付けられている通信端末装置５０等を用いて行うことができる。
【００２６】
通常運転モードから省エネ運転モードへの移行のタイミングは、省エネ運転モードが設定された時でもよいし、空気調和機１が人感センサを備えている場合は、省エネ運転モード設定後、人不在を検知した時でもよい。あるいは、その他のトリガにより移行してもよい。
【００２７】
省エネ運転モードにおいて、設定温度を段階的に緩める際の時間幅および温度幅は、記憶部２２に記憶され固定値であっても良い。また、リモコン２６、空気調和機１の本体の入力受付部、通信端末装置５０等を用いてユーザが設定できるようにしてもよい。
【００２８】
サーバ４０は、サーバ４０の各部の動作を制御するサーバ制御部４１、通信部４２、記憶部４３等を備えている。通信部４２は、サーバ４０と外部装置との通信を可能にする。記憶部４３は、サーバ４０の動作に必要な各種の情報・プログラムを記憶している。
【００２９】
サーバ制御部４１は、例えば、ＣＰＵや専用プロセッサなどの演算処理部などにより構成されるコンピュータ装置からなり記憶部４３に記憶されている情報・プログラムに従い、サーバ４０の各部の動作を制御する。サーバ制御部４１には分岐時間算出部４５が構築される。
【００３０】
なお、本実施の形態では、分岐時間算出部４５がサーバ制御部４１に備えられる構成を例示するが、分岐時間算出部４５は、空気調和機１の空調機制御部１０、又は通信端末装置５０の後述する端末制御部６０に備えられていてもよい。要は、分岐時間算出部４５は、空調システム３０に含まれていればよい。
【００３１】
分岐時間算出部４５は、空気調和機１が冷房運転又は暖房運転を行っている際に、運転を一旦停止した後再開する場合の消費電力Ａと、運転を継続した場合の消費電力Ｂとが同じになる停止時間に相当する分岐時間を算出する。空気調和機１の運転を一旦停止した後再開する場合の消費電力Ａとは、運転を停止した後に再開して停止前の室温と同じにするための消費電力である。上述したように、サーバ４０は、空気調和機１より空気調和機１の運転データ、外気温、室温等を受信しているので、上記消費電力Ａおよび消費電力Ｂを算出することができる。
【００３２】
図３は、運転を一旦停止した後再開する場合の消費電力Ａと、運転を継続した場合の消費電力Ｂとが同じになる分岐時間を説明する模式図である。図３は、横軸が時間であり、縦軸が空気調和機１の消費電力量を示す。
【００３３】
図３に示すように、停止時間が短い（運転を停止させてからの経過時間が短い）場合、運転を継続した方が運転を停止するよりも消費電力は小さい。運転を継続する場合、室温が設定温度に到達している安定状態での運転となる。安定状態では、コンプレッサ等を停止させたいわゆるサーモオフ運転となり、消費電力は極めて小さい。
【００３４】
これに対し、一旦運転を停止すると、再開時（運転開始時）に、室温を設定温度に到達させるべく、コンプレッサをフル稼働させるような消費電力の極めて大きい運転が行われる。そのため、停止時間が短くても、消費電力が多くなる。したがって、空気調和機１を停止させる時間が短い場合は、運転の継続を選択することで、消費電力を抑えることができる。
【００３５】
しかしながら、たとえ安定状態での運転であっても、運転時間が長くなると積算されたトータルの消費電力量は増加する。そのため、図３に示すように、停止後再開させた場合の消費電力量を何時しか超えることとなり、それ以降は、運転停止を選択することで、消費電力を抑えることができる。
【００３６】
分岐時間算出部４５は、記憶部４３に記憶されている、運転開始時の起動時電力量と、安定状態での定常時電力量とを読み出して、一旦運転が停止された後再開して停止前の室温と同じにするための消費電力Ａと、運転を継続した場合の消費電力Ｂとが同じになる分岐時間を算出する。図３では、時間Ｔｍ３が分岐時間である。
【００３７】
消費電力Ａ、Ｂは、空気調和機１の性能によって変わることは当然であるが、部屋の性能および外気温等によっても変わる。部屋の性能とは、部屋の温度維持性能である。温度維持性能が低い部屋の場合、室温が短い時間で外気温へと近づくため、運転継続した場合の消費電力量を示すグラフの傾きが大きくなり、分岐時間が短くなる。運転を停止した場合の消費電力量を示すグラフの傾きも大きくなるが、運転継続した場合のグラフの傾き増加に比べると小さい。外気温が高い場合も室温が短い時間で外気温へと近づくため、分岐時間は短くなる。
【００３８】
また、運転を継続する場合の消費電力Ｂは、通常運転モードと省エネ運転モードとでは異なる。省エネ運転モードにおける消費電力Ｂの算出方法については、第４の実施の形態において詳細に説明する。なお、通常運転モードにおける消費電力Ｂの算出方法は、前述した特許文献２，３に記載されている公知の手法を用いて算出可能であるため、これ以上の説明は行わない。
【００３９】
図２に戻り、分岐時間算出部４５は、空気調和機１が冷房運転または暖房運転を行っている間、常時分岐時間を算出する構成とすることが好ましい。これは、上述したように、外気温等によって分岐時間は刻々と変化するためである。サーバ制御部４１は、算出された分岐時間を通信端末装置５０に送信する。分岐時間が刻々と変化することを踏まえると、分岐時間の送信は、リアルタイムで行うことが好ましい。
【００４０】
通信端末装置５０は、通信端末装置５０の各部の動作を制御する端末制御部（入力制御部、通信制御部）６０、通信部５１、記憶部５２、表示部５３、入力部５４、音声出力部５５、発振部５６等を備えている。通信部５１は、通信端末装置５０と外部装置との通信を可能にする。記憶部５２は、通信端末装置５０の動作に必要な各種の情報・プログラムを記憶している。
【００４１】
表示部５３、音声出力部５５、発振部５６は、ユーザに情報を報知する報知部である。表示部５３は文字や画像等の表示にて、音声出力部５５は音や音声にて、発振部５６は通信端末装置５０を振動させることで、情報の内容もしくは情報の存在を報知する。
【００４２】
入力部５４は、ユーザからの指示入力を受け付けるものであり、キーやボタンによる入力、表示部５３を用いたタッチ操作による入力、マイクによる音声入力等である。
【００４３】
端末制御部６０は、例えば、ＣＰＵや専用プロセッサなどの演算処理部などにより構成されるコンピュータ装置からなり記憶部５２に記憶されている情報・プログラムに従い通信端末装置５０の各部の動作を制御する。端末制御部６０には、空調機操作部６１、位置情報取得部６３、報知制御部６２が構築される。
【００４４】
空調機操作部６１は、空気調和機１の操作を受け付ける。空調機操作部６１は、通信端末装置５０にダウンロードされた専用アプリケーションなどにより構築される。空調機操作部６１は、空気調和機１を操作するための操作画面を表示部５３に表示し、操作画面を用いて指示入力を受け付ける。空調機操作部６１が受け付けた指示内容は、サーバ４０を介して空気調和機１に送信され、空気調和機１が指示された動作を実行する。なお、通信端末装置５０がサーバ４０を介することなく空気調和機１と接続されている場合は、サーバ４０を介することなく空気調和機１に送信することもできる。また、操作画面に、ユーザから分岐時間の表示を要求する要求ボタン等を含める構成としてもよい。
【００４５】
位置情報取得部６３は、通信端末装置５０の位置情報を取得する。位置情報取得部６３は、例えばＧＰＳ機能にて実現される。
【００４６】
報知制御部６２は、上述した報知部を制御して、サーバ４０より受信する分岐時間を、予め設定されたタイミングで能動的に報知する。本実施の形態では、報知のタイミングは、当該通信端末装置５０が空気調和機１の設置位置から設定距離以上離れた時に設定されている。報知制御部６２は、位置情報取得部６３にて取得された位置情報より通信端末装置５０が空気調和機１の設置位置から設定距離以上離れたことを検出すると分岐時間を能動的に報知する。
【００４７】
分岐時間を能動的に報知するとは、例えば、通知機能を使って表示部５３の画面に表示することである。通知機能を使って表示するとはノーティフィケーションとして報知することである。これにより、空気調和機１を操作するための専用のアプリケーションが起動していない状態（操作画面が開かれていない状態）や、画面がロックされている状態、あるいは画面に他のアプリケーションの画像が表示されている場合でも、分岐時間をユーザに報知することができる。
【００４８】
この場合、より好ましくは、音声出力部５５又は発振部５６又はその両方を用いて、着信音又は振動又はその両方と共に、通知形式で分岐時間を表示することである。報知部にＬＥＤ等の発光部を備えている場合は、併せて発光部を用いてもよい。
【００４９】
また、報知制御部６２は、空気調和機１の操作画面が表示されている状態で報知のタイミングになった場合は、分岐時間を操作画面にポップアップ表示させるなどして、分岐時間を目立つように表示する。
【００５０】
図４は、空調システム３０における分岐時間が報知されるタイミングを説明する図である。図４の示すように、通信端末装置５０の報知制御部６２には、空気調和機１のユーザ宅３１の位置（設定地点）が空気調和機１の設置位置として登録される。報知制御部６２は、位置情報取得部６３にて取得された通信端末装置５０の位置情報が設定距離ｒ以上離れたかどうかを常に判定している。
【００５１】
通信端末装置５０の位置が、設定地点から設定距離ｒ以上離れたと判定すると、報知制御部６２は、その時点を停止０時間とした分岐時間を報知する。つまり、通信端末装置５０の位置が設定地点から設定距離ｒ以上離れた時刻が、例えば「ＡＭ１０時１０分」とすると、この「ＡＭ１０時１０分」にて空気調和機１の運転を停止した場合の消費電力Ａと運転を継続した場合の消費電力Ｂとが同じになる停止時間である分岐時間を算出する。上記設定距離ｒは、予め設定された固定値であっても良いが、空気調和機１のユーザが適宜設定できる構成であることが好ましい。
【００５２】
図５の（ａ）（ｂ）は共に、通信端末装置５０の表示部５３に表示された、分岐時間を報知する画面の一例を示す図である。図５の（ａ）に示す例では、「○○分までのおでかけならば、省エネ運転のつけっぱなしの方が電気代がお得になりそうです」といった、分岐時間を有効に利用して節電を促すメッセージ７０を表示している。「○○分」が分岐時間である。
【００５３】
これにより、例えば、直ぐに戻る予定で空気調和機１を停止せずに外出し、そのあと運転中であることを忘れて設定距離ｒを超えて移動しようとした場合であっても、分岐時間が報知されることで運転中であることを思い出し、この時点でもう一度、継続させるか停止させるかを見直すことができる。また、省エネ運転モードを設定していない場合は、省エネ運転モードでの分岐時間が報知されることで、この時点で省エネ運転モードへの移行を指示することもできる。
【００５４】
メッセージ７０が通知機能で表示されている場合、メッセージ７０の表示部分をタッチ（タップ）することで、専用アプリケーションが起動して空気調和機１の操作画面が表示される。これにより、操作画面を用いて空気調和機１を停止したり、省エネ運転モードへの移行を指示したりすることができる。なお、通信端末装置５０がロックされている場合は、ロックを解除する操作が必要である。
【００５５】
図５の（ｂ）に示す例では、メッセージ７０と共に、空気調和機１の運転を停止させる指示を受け付ける停止ボタン７１が表示されている。停止ボタン７１をタッチすることで、専用アプリケーションを起動させることなく、空気調和機１を停止させることができる。なお、通信端末装置５０がロックされている場合は、ロックを解除する操作が必要である。
【００５６】
また、既に、空気調和機１の操作画面が表示されている状態で分岐時間が操作画面にポップアップ表示された場合も、図５の（ｂ）に示す例のように、メッセージ７０と共に停止ボタン７１を表示することで、ポップアップ表示を消して操作画面に戻るといった手順を踏むことなく、空気調和機１を停止させることができる。
【００５７】
以上のように、上記構成によれば、空気調和機１のユーザの通信端末装置５０が空気調和機１の設置位置から設定距離ｒ以上に離れた時に、分岐時間の情報が通信端末装置５０に能動的に報知される。したがって、ユーザは、この報知を受けて、この時点からの分岐時間に基づいて、運転を継続させるか停止させるかを見直すことができる。これにより、分岐時間の報知を有効に利用して、省エネ化を図ることができる。
【００５８】
〔第２の実施の形態〕
本発明の第２の実施の形態について、以下に説明する。なお、説明の便宜上、上記実施形態にて説明した部材と同じ機能を有する部材については、同じ符号を付記し、その説明を繰り返さない。
【００５９】
第１の実施の形態の通信端末装置５０においては、分岐時間を報知するタイミングが、当該通信端末装置５０が空気調和機１の設置位置から設定距離ｒ以上離れた時に設定されていた。これに対し、本実施の形態では、分岐時間を報知するタイミングが、空気調和機１の運転が停止される予定の時刻の直前に設定されている。
【００６０】
後述する報知制御部６２Ａは、空気調和機１の運転データに基づいて推定される空気調和機１の運転が停止される予定の時刻の直前になると分岐時間を報知する。分岐時間の報知の手法等は、第１の実施の形態と同じであるので、ここでは、空気調和機１の運転データに基づいて空気調和機１の運転が停止される予定の時刻を推定する手法について説明する。
【００６１】
図６は、本実施の形態に係る通信端末装置５０Ａが含まれる空調システム３０Ａの構成を示すブロック図である。図６に示すように、空調システム３０Ａは、サーバ４０に代えてサーバ４０Ａを備え、通信端末装置５０に代えて通信端末装置５０Ａを備える。サーバ４０Ａは、サーバ制御部４１Ａに停止予定時刻取得部４６を備えている。通信端末装置５０Ａは、端末制御部６０Ａに報知制御部６２に代えて報知制御部６２Ａを備えている。端末制御部６０Ａにおいて、位置情報取得部６３は備えていなくてもよい。これらの点が、第１の実施の形態と異なる。
【００６２】
なお、本実施の形態では、停止予定時刻取得部４６がサーバ制御部４１Ａに備えられる構成を例示するが、停止予定時刻取得部４６は、空気調和機１の空調機制御部１０、又は通信端末装置５０Ａの端末制御部６０Ａに備えられていてもよい。要は、停止予定時刻取得部４６は、空調システム３０に含まれていればよい。
【００６３】
停止予定時刻取得部４６は、空気調和機１から受信する空調運転部２３の運転データから、運転が停止されると推定できる停止予定時刻を導出して取得する。停止予定時刻を導出する運転（空調運転）の対象は、冷房運転および暖房運転となる。サーバ制御部４１Ａは、取得した停止予定時刻を通信端末装置５０Ａに送信し、通信端末装置５０Ａはこれを記憶部５２に記憶する。
【００６４】
運転データには、前述したように、空調運転部２３が運転開始された時刻、運転停止された時刻、運転種別、運転モード、設定温度、設定温度が変更された場合は変更された時刻、変更後の設定温度等の各種情報が含まれている。したがって、このような運転データより、冷房運転、暖房運転が停止される時間（時刻）のパターンを学習にて見つけ出すことで、停止予定時刻を取得することができる。
【００６５】
例えば、空気調和機の一般的な使い方として、朝、起床時に、冬季であれば暖房、夏季であれば冷房の空調運転を開始させ、出勤や通学等のために外出する際に運転を停止させるといった使い方がある。このような使い方のユーザのある一週間の運転データからは、例えば図７に示すような運転パターンを得ることができる。図７は、空気調和機の運転パターンの一例を示す図である。
【００６６】
図７の例では、月曜日から金曜日までは、概ね午前６時１５分頃に運転が開始され、午前８時４５分頃に運転が停止されている。土曜日と日曜日は、このパターンから外れている。他の週でも図７に示すような運転パターンが確認される場合、停止予定時刻取得部４６は、午前８時４５分を平日の「停止予定時刻」に決定し、これを取得する。
【００６７】
運転パターンは、生活パターンに関連しており、生活パターンは休日と休日以外とでは異なることが多い。そのため、停止予定時刻は、曜日毎、あるいは平日と休日とで分けて学習して取得することが好ましい。
【００６８】
通信端末装置５０Ａの報知制御部６２Ａは、記憶部５２より停止予定時刻を読み出し、停止予定時刻の直前になると分岐時間を報知する。停止予定時刻の直前とは、例えば停止予定時刻の３分前、５分前といった短い時間である。この時間も予め設定された固定値であっても良いが、空気調和機１のユーザが適宜設定できる構成であることが好ましい。
【００６９】
以上のように、上記構成によれば、空気調和機１のユーザが空気調和機１を停止しようとする直前に、分岐時間の情報が通信端末装置５０Ａに能動的に報知される。したがって、ユーザは、この報知を受けて、分岐時間に基づいて運転を継続させるか停止させるか選択することができる。これにより、分岐時間の報知を有効に利用して、省エネ化を図ることができる。
【００７０】
また、分岐時間を報知するタイミングが、空気調和機１の運転が停止される予定の時刻の直前である本実施の形態の空調システム３０Ａの場合、ユーザはまだ宅内に居る状況での報知となる。したがって、通信端末装置５０Ａからの報知に限らず、空気調和機１の音声出力部を用いて上記メッセージ７０を発話させることで報知したり、リモコン２６の表示部に上記メッセージ７０を表示したりしてもよい。
【００７１】
〔第３の実施の形態〕
本発明の第３の実施の形態について、以下に説明する。なお、説明の便宜上、上記実施形態にて説明した部材と同じ機能を有する部材については、同じ符号を付記し、その説明を繰り返さない。
【００７２】
第２の実施の形態では、停止予定時刻取得部４６が、空気調和機１の運転データを基に学習にて停止予定時刻を決定して取得するようになっていた。一方、本実施の形態に係る空調システムにおいては、図示してはいないが、停止予定時刻取得部４６に代えて停止予定時刻設定部（停止時刻設定部）を備えている。
【００７３】
停止予定時刻設定部は、リモコン２６、通信端末装置５０、空気調和機の本体の入力受付部等を用いて、ユーザによる停止予定時刻の設定入力を受け付けるものである。上述したように、運転を停止する時刻は、生活パターンの異なる休日と平日では異なるので、曜日毎、あるいは平日と休日とで分けて設定できる構成とすることが好ましい。
【００７４】
このような構成とすることで、指示入力部を用いて停止予定時刻を設定する必要はあるが、学習機能を備える必要がなく安価な構成とすることができる。なお、ここでは、停止予定時刻取得部４６に代えて、停止予定時刻設定部を備える構成としたが、停止予定時刻取得部４６と停止予定時刻設定部の両方を備えており、ユーザが選択的に使用する構成としてもよい。
【００７５】
〔第４の実施の形態〕
本発明の第４の実施の形態について、以下に説明する。なお、説明の便宜上、上記実施形態にて説明した部材と同じ機能を有する部材については、同じ符号を付記し、その説明を繰り返さない。
【００７６】
本実施の形態では、省エネ運転モードにて運転を継続する場合の消費電力Ｂの算出方法について説明する。
【００７７】
分岐時間算出部４５は、空気調和機１の電力量を状況に分けて学習する機能を有している。具体的には、以下の（１）〜（４）を学習にて取得している。
（１）外気温と室温との差毎の、安定状態での１時間当たりの電力量（Ｗｈ）。
（２）外気温と室温との差毎の、安定状態から段階的に設定温度を緩める省エネ運転時の１時間当たりの電力量（Ｗｈ）。
（３）外気温と室温との差毎、かつ、室温と設定温度との差毎の、運転を一旦停止後再開する際に室温を設定温度に到達させるために必要な電力量（Ｗｈ）。
（４）外気温と室温との差毎、かつ、室温と設定温度との差毎の、省エネ運転を解除して設定温度が緩められた安定状態から室温を緩める前の設定温度に到達させるために必要な電力量（Ｗｈ）。
【００７８】
図８は、分岐時間算出部４５が学習した、上記（２）の外気温と室温との差毎の省エネ運転時の１時間当たりの空気調和機１の電力量（Ｗｈ）のテーブルの一例を示す図である。図８の例では、外気温と室温との差を、１℃以上３℃未満、３℃以上６℃未満、６℃以上９℃未満、９℃以上１２℃未満、１２℃以上１５℃未満の５段階に分け、各段階における１時間あたりの電力量を学習にて取得している。例えば、外気温と室温との差が７℃の場合、１時間あたりの電力量として４５０Ｗｈが用いられる。
【００７９】
図９は、分岐時間算出部４５が作成した、上記（４）の外気温と室温との差毎、かつ、室温と設定温度との差毎の、省エネ運転を解除時に室温を元の設定温度に到達させるために必要な空気調和機１の電力量（Ｗｈ）のテーブルの一例を示す図である。省エネ運転では、運転を一旦停止後再開する場合のような消費電力の極めて大きい起動時の運転は行わないため、後述する図１０とは別に作成しておく。図９の例では、外気温と室温との差を、１℃以上３℃未満、３℃以上６℃未満、６℃以上９℃未満、９℃以上１２℃未満、１２℃以上１５℃未満の５段階に分け、室温と設定温度と差は１℃刻みで作成している。例えば、省エネ運転から通常運転に移行する際の外気温と室温との差が７℃、室温と設定温度との差が４℃の場合、戻すために必要な電力量としては９００Ｗｈが用いられる。
【００８０】
図１０は、分岐時間算出部４５が作成した、上記（３）の外気温と室温との差毎、かつ、室温と設定温度との差毎の、運転を一旦停止後再開する際に室温を設定温度に到達させるために必要な空気調和機１の電力量（Ｗｈ）のテーブルの一例を示す図である。図９と同様に、図１０でも、外気温と室温との差を、１℃以上３℃未満、３℃以上６℃未満、６℃以上９℃未満、９℃以上１２℃未満、１２℃以上１５℃未満の５段階に分け、室温と設定温度と差は１℃刻みで作成している。例えば、運転を一旦停止後再開する際の外気温と室温との差が７℃、室温と設定温度との差が４℃の場合、戻すために必要な電力量として１１００Ｗｈが用いられる。
【００８１】
また、分岐時間算出部４５は、外気温と室温との差毎、かつ、時間毎の、空気調和機１が設置されている部屋の運転を停止した際の室温変化幅のテーブルを学習により作成する。なお、このような温度幅のテーブルは、冷房運転と暖房運転とでは異なる。また、空気調和機１の性能が同じであっても、空気調和機１が設置されている部屋の性能毎に異なる。分岐時間算出部４５は、部屋の性能を判定する機能を有している。該機能については、第５の実施の形態において詳細に説明する。
【００８２】
図１１は、分岐時間算出部４５が作成した、外気温と室温との差毎、かつ、時間毎の、空気調和機１が設置されている部屋の運転を停止した際の室温変化幅のテーブルの一例を示す図である。図１１に示すように、室温変化幅は、外気温と室温との差が大きい程、また、経過時間が長い程大きくなる。
【００８３】
上記のように分岐時間算出部４５が学習した内容は、記憶部４３に記憶される。なお、本実施の形態では、分岐時間算出部４５がサーバ４０に備えられることを前提としているため、学習機能にて必要なテーブルを作成するようにしている。しかしながら、分岐時間算出部４５が空気調和機１あるいは通信端末装置５０に備えられて学習機能を有していない場合には、空気調和機１の性能に応じたテーブルを予め備える構成であってもよい。その場合、図１１に示す室温変化幅のテーブルについては部屋の性能によって変わるので、予め複数備えさせ、部屋の性能によってユーザに選択させる構成とすればよい。
【００８４】
次に、分岐時間算出部４５のよる分岐時間の算出手順を説明する。分岐時間算出部４５は、記憶部４３より学習した内容を読み出す。分岐時間算出部４５は、空気調和機１の設置されている部屋の現在の室温から省エネ運転を開始したとして、経過時間毎の電力量の推定を行う（第１の推定）。
【００８５】
第１の推定では図８のテーブルを用いる。例えば、１５分刻みで１℃ずつ設定温度を緩めていく場合は、１５分毎に設定温度を１℃ずつ変更した各段階での電力量の推定を行う。設定温度を１℃緩めた１段階目の１５分間の電力量は、外気温と室温との差が７℃である場合、４５０÷４＝１１２．５Ｗｈとて算出される。続く２段階目の１５分間の電力量は、外気温と室温との差が７℃であれば同じく１１２．５Ｗｈ、６℃未満であれば３００÷４＝７５Ｗｈというように算出される。
【００８６】
次に、分岐時間算出部４５は、省エネ運転を解除された際に、室温を元の設定温度に到達するまでの電力量の推定を行う（第２の推定）。第２の推定では図９のテーブルを用いる。例えば、１５分刻みで１℃ずつ設定温度を緩めていく場合は、１５分毎に設定温度を１℃ずつ変更した各段階での元の設定温度に戻すために必要な電力量の推定を行う。設定温度を１℃緩めた１段階目の１５分間で室温を１℃戻すのに必要な電力量は、外気温と室温との差が７℃である場合は６００Ｗｈ、外気温と室温との差が５℃である場合は５００Ｗｈとなる。また、設定温度を４℃緩めた４段階目の６０分後に省エネ運転を解除して室温を４℃戻すのに必要な電力量は、外気温と室温との差が７℃である場合は９００Ｗｈ、外気温と室温との差が５℃である場合は８００Ｗｈとなる。
【００８７】
分岐時間算出部４５は、第１の推定で得た省エネ運転中の電力量に、第２の推定で得た室温を元の設定温度に戻すために必要な電力量を加算することで、省エネ運転中からその解除までを含めた推定電力量テーブルを生成する。図１２は、分岐時間算出部４５が作成した、省エネ運転中からその解除までを含めたある温度での時間毎の推定電力量（消費電力Ｂ）テーブルの一例を示す図である。
【００８８】
次に、分岐時間算出部４５は、空気調和機１の運転を一旦停止した後再開する場合の消費電力を推定する。なお、停止後再開する場合の消費電力を先に算出してもよい。分岐時間算出部４５は、図１１の室温変化幅のテーブルを用いて、経過時間毎の運転再開時の室温を推定し、推定した室温から設定温度にまで室温を到達させるために必要な電力量を図１０のテーブルを用いて算出する。
【００８９】
分岐時間算出部４５は、図１０のテーブルを用いて算出した推定室温を元の設定温度に戻すために必要な推定電力量テーブルを生成する。図１３は、分岐時間算出部４５が作成した、運転を一旦停止した後再開する場合の時間毎の推定電力量（消費電力Ａ）テーブルの一例を示す図である。
【００９０】
分岐時間算出部４５は、図１２、図１３に示す推定電力量テーブルのデータに基づいて、前述した図３に示すようなグラフを作成して分岐時間を求める。
【００９１】
〔第５の実施の形態〕
本発明の第５の実施の形態について、以下に説明する。なお、説明の便宜上、上記実施形態にて説明した部材と同じ機能を有する部材については、同じ符号を付記し、その説明を繰り返さない。
【００９２】
ここでは、図１４〜図１６を用いて、分岐時間算出部４５による部屋性能の判定方法を説明する。図１４〜図１６の（ａ）（ｂ）は、部屋性能の判定方法を説明する図である。
【００９３】
（判定方法１）：図１４の（ａ）に示すように、暖房運転を停止すると、温度維持性能が高い部屋（性能高）Ａでは、部屋温度は時間をかけて低下する（低速）。一方、温度維持性能が低い部屋（性能低）Ｃでは、部屋温度は短い時間で低下する（高速）。温度維持性能が中位の部屋（性能中）Ｂでは、部屋Ａと部屋Ｃの速度で低下する。図示してはいないが、冷房運転を停止した場合も同様であり、温度が上がる方向の変化となるが、温度変化の速度は、温度維持性能が高い部屋（性能高）Ａで遅く、温度維持性能が低い部屋（性能低）Ｃで速くなる。
【００９４】
したがって、運転停止時の所定時間後の部屋温度（平均）より、部屋の性能を判定することができる。図１４の（ｂ）に示すように、暖房運転停止したｔ時間後の平均部屋低下温度Ｔが、Ｔ１以内であれば性能高、Ｔ１℃よりも大きいがＴ２℃以下であれば性能中、Ｔ２℃よりも大きい場合は性能低と判定する。ここで、Ｔ１＜Ｔ２である。また、このような判定の閾値となるＴ１、Ｔ２は、外気温と室温の差によって設定されている。図１４の（ｂ）の例では、平均部屋低下温度Ｔが、Ｔ１以内の部屋Ａは性能高、Ｔ１℃より大きいがＴ２℃以下の部屋Ｂは性能中、Ｔ２℃よりも大きい部屋Ｃは性能低と判定される。
【００９５】
（判定方法２）：図１５の（ａ）に示すように、暖房運転を開始すると、温度維持性能が高い部屋（性能高）Ａでは、部屋温度は短時間で設定温度に到達して安定化する。一方、温度維持性能が低い部屋（性能低）Ｃでは、部屋温度は時間をかけて設定温度に到達して安定化する。温度維持性能が中位の部屋（性能中）Ｂでは、部屋Ａと部屋Ｃの間に時間をかけて安定下する。図示してはいないが、冷房運転を開始した場合も同様であり、温度が下がる方向の変化となるが、安定化するまでの時間は、温度維持性能が高い部屋（性能高）Ａで短く、温度維持性能が低い部屋（性能低）Ｃで長くなる。
【００９６】
したがって、運転開始時の部屋温度安定までの所要時間（平均）より、部屋の性能を判定することができる。図１５の（ｂ）に示すように、暖房運転開始後の部屋温度安定までの平均所要時間Ｍが、Ｍ１以内であれば性能高、Ｍ１よりも大きいがＭ２以下であれば性能中、Ｍ２よりも大きい場合は性能低と判定する。ここで、Ｍ１＜Ｍ２である。また、このような判定の閾値となるＭ１、Ｍ２は、外気温と室温の差によって設定されている。図９の（ｂ）の例では、平均所要時間Ｍが、Ｍ１以内の部屋Ａは性能高、Ｍ１より大きいがＭ２以下の部屋Ｂは性能中、Ｍ２よりも大きい部屋Ｃは性能低と判定される。
【００９７】
（判定方法３）：図１６の（ａ）に示すように、暖房運転を開始後、温度維持性能が高い部屋（性能高）Ａでは、部屋温度安定時の平均運転能力（ワット）は小さい。一方、温度維持性能が低い部屋（性能低）Ｃでは、部屋温度安定時の平均運転能力は大きくなる。温度維持性能が中位の部屋（性能中）Ｂでは、部屋Ａと部屋Ｃの間の平均運転能力となる。図示してはいないが、冷房運転を開始した場合も同様であり、温度が下がる方向の変化となるが、部屋温度安定時の平均運転能力は、温度維持性能が高い部屋（性能高）Ａで低く、温度維持性能が低い部屋（性能低）Ｃで高くなる。
【００９８】
したがって、部屋温度安定時の平均運転能力より、部屋の性能を判定することができる。図１６の（ｂ）に示すように、平均運転能力Ｗが、Ｗ１以内であれば性能高、Ｗ１よりも大きいがＷ２以下であれば性能中、Ｗ２よりも大きい場合は性能低と判定する。ここで、Ｗ１＜Ｗ２である。また、このような判定の閾値となるＷ１、Ｗ２は、外気温と室温の差によって設定されている。図１６の（ｂ）の例では、平均運転能力Ｗが、Ｗ１以内の部屋Ａは性能高、Ｗ１より大きいがＷ２以下の部屋Ｂは性能中、Ｗ２よりも大きい部屋Ｃは性能低と判定される。
【００９９】
〔ソフトウェアによる実現例〕
空調システム３０，３０Ａにおける、分岐時間算出部４５、空調運転制御部１１、報知制御部６２，６２Ａ、停止予定時刻取得部４６等は、集積回路（ＩＣチップ）等に形成された論理回路（ハードウェア）によって実現してもよいし、ソフトウェアによって実現してもよい。
【０１００】
後者の場合、空調システム３０，３０Ａに含まれる空気調和機１、サーバ４０，４０Ａ通信端末装置５０，５０Ａは、各機能を実現するソフトウェアであるプログラムの命令を実行するコンピュータを備えている。このコンピュータは、例えば少なくとも１つのプロセッサ（制御装置）を備えていると共に、上記プログラムを記憶したコンピュータ読み取り可能な少なくとも１つの記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【０１０１】
〔まとめ〕
本発明の態様１に係る通信端末装置５０は、ユーザに情報を報知する報知部（表示部５３、音声出力部５５、発振部５６）と、ユーザからの指示入力を受け付ける指示入力部（入力部５４、表示部５３）と、通信ネットワーク３２を介して外部装置と通信を行う通信部２１と、前記報知部を制御して空気調和機１の運転を一旦停止した後に再開して停止前の室温と同じにするための消費電力と運転を継続した場合の消費電力とが同じになる停止時間に相当する分岐時間を、予め設定されたタイミングで能動的に報知する報知制御部６２と、前記指示入力部を制御して前記空気調和機１の運転を停止させる指示を受け付ける入力制御部（端末制御部６０）と、前記入力制御部にて前記空気調和機の運転を停止させる指示を受け付けると前記通信部を制御して該指示内容を前記空気調和機もしくは前記空気調和機と接続されている所定のサーバに送信する通信制御部（端末制御部６０）と、を備えることを特徴とする。
【０１０２】
本発明の態様２に係る通信端末装置５０は、上記態様１において、前記タイミングは、当該通信端末装置が前記空気調和機の設置位置から設定距離以上離れた時であり、当該通信端末装置の位置情報を取得する位置情報取得部６３を備え、前記報知制御部は、前記位置情報取得部にて取得された位置情報より、当該通信端末装置が前記空気調和機の設置位置から設定距離以上離れたことを検出すると分岐時間を報知する構成とすることもできる。
【０１０３】
本発明の態様３に係る通信端末装置５０は、上記態様１又は２において、前記タイミングは、前記空気調和機の運転が停止される予定の時刻の直前であり、前記報知制御部は、前記空気調和機の運転データに基づいて推定される前記空気調和機の運転が停止される予定の時刻の直前になると分岐時間を報知する構成とすることもできる。
【０１０４】
本発明の態様４に係る通信端末装置５０は、上記態様１から３の何れかにおいて、前記報知制御部は、前記報知部が備える表示部に通知機能を使って分岐時間を表示する構成とすることもできる。
【０１０５】
本発明の態様５に係る通信端末装置５０は、上記態様４において、前記報知制御部は、前記報知部が備える音声出力部又は発振部又はその両方を用いて、着信音又は振動又はその両方と共に、前記分岐時間を表示する構成とすることもできる。
【０１０６】
本発明の態様６に係る通信端末装置５０は、上記態様１から５の何れかにおいて、前記分岐時間を算出して前記報知制御部に出力する分岐時間算出部４５を備える構成とすることもできる。
【０１０７】
本発明の態様７に係る通信端末装置５０は、上記態様６において、前記空気調和機は、設定温度を徐々に緩める省エネ運転モードを有し、前記分岐時間算出部は、前記空気調和機が、前記省エネ運転モードにて運転を継続している場合、運転を継続した場合の消費電力として、段階的に変更される各設定温度での運転時間による電力量に、省エネ運転モードから通常運転モードへの復帰時に、安定状態から室温を緩める前の設定温度と同じにするための電力量を加算した値を用いる構成とすることもできる。
【０１０８】
本発明の態様８に係る空調システム３０は、空気調和機１と、前記空気調和機と通信ネットワーク３２にて接続されたサーバ４０と、前記サーバと通信ネットワークにて接続され前記サーバを介して前記前記空気調和機を操作する通信端末装置５０と、前記空気調和機、前記サーバ又は前記通信端末装置に設けられる、前記空気調和機の運転を一旦停止した後に再開して停止前の室温と同じにするための消費電力と運転を継続した場合の消費電力とが同じになる停止時間に相当する分岐時間を算出する分岐時間算出部４５と、前記空気調和機又は前記通信端末装置に設けられる、報知部を制御して前記分岐時間を、予め設定されたタイミングで能動的に報知する報知制御部６２、指示入力部を制御して前記空気調和機の運転を停止させる指示を受け付ける入力制御部（端末制御部６０）、および前記入力制御部にて前記空気調和機の運転を停止させる指示を受け付けると通信部２１を制御して該指示内容を前記サーバに送信する通信制御部（端末制御部６０）と、を備える。
【０１０９】
本発明の各態様に係る空調制御装置は、コンピュータによって実現してもよく、この場合には、コンピュータを上記空調制御装置が備える各部（ソフトウェア要素）として動作させることにより上記空調制御装置をコンピュータにて実現させる空調制御装置の制御プログラム、およびそれを記録したコンピュータ読み取り可能な記録媒体も、本発明の範疇に入る。
【０１１０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１１１】
１  空気調和機
１０  空調機制御部
１１  空調運転制御部
２１、４２、５１  通信部
２２、４３、５２  記憶部
２３  空調運転部
２４  室外温度センサ
２５  室内温度センサ
２６  リモコン
４０、４０Ａ  サーバ
３０、３０Ａ  空調システム
３１  ユーザ宅
３２  通信ネットワーク
４１、４１Ａ  サーバ制御部
４５  分岐時間算出部
４６  停止予定時刻取得部
５０、５０Ａ  通信端末装置
５３  表示部（報知部、指示入力部）
５４  入力部（指示入力部）
５５  音声出力部（報知部）
５６  発振部（報知部）
６０、６０Ａ  端末制御部
６１  空調機操作部
６２、６２Ａ  報知制御部
６３  位置情報取得部
７０  メッセージ
７１  停止ボタン
【図１】
2020036296.tif 000003
【図２】
2020036296.tif 000004
【図３】
2020036296.tif 000005
【図４】
2020036296.tif 000006
【図５】
2020036296.tif 000007
【図６】
2020036296.tif 000008
【図７】
2020036296.tif 000009
【図８】
2020036296.tif 000010
【図９】
2020036296.tif 000011
【図１０】
2020036296.tif 000012
【図１１】
2020036296.tif 000013
【図１２】
2020036296.tif 000014
【図１３】
2020036296.tif 000015
【図１４】
2020036296.tif 000016
【図１５】
2020036296.tif 000017
【図１６】
2020036296.tif 000018